【事件の表示】
　特許第２９２９８０３号「交換型記憶装置」の請求項１に係る特許に対する特許異議の申立てについて、次のとおり決定する。
【結　論】
　訂正を認める。
　特許第２９２９８０３号の請求項１に係る特許を維持する。
【理　由】
１．手続の経緯
特許出願　　　　　　　　　　　　　　　平成３年９月２６日
特許権設定登録　　　　　　　　　　　　平成１１年５月２１日
特許異議の申立て　
　　　　有限会社オフィスアテナ　　　　平成１２年２月３日
取消理由通知　　　　　　　　　　　　　平成１２年４月４日
訂正請求　　　　　　　　　　　　　　　平成１２年６月２日
２．訂正の適否についての判断
　訂正事項
Ａ．特許請求の範囲の請求項１の『フレキシブルディスクカートリッジとアタッチメントに装着されるＩＣメモリカードを差し替えて情報の記録再生ができる交換型記憶装置において、』を『フレキシブルディスクカートリッジと、アタッチメントに装着されるＩＣメモリカードを差し替えて情報の記録再生ができる交換型記憶装置において、』に訂正。
Ｂ．特許請求の範囲の請求項１の『且つ上記フレキシブルディスクカートリッジと同一挿排出口より脱着されるアタッチメント本体部とを備え』を『且つ上記フレキシブルディスクカートリッジと同一挿排出口より脱着され、上記ＩＣメモリカードを上記アタッチメントの上記交換型記憶装置への脱着方向に固定する構成とされたアタッチメント本体部とを備え』に訂正。
　上記訂正事項Ａは、特許明細書の段落【００１４】及び図１の記載から明らかな、フレキシブルディスクカートリッジと、アタッチメントに装着されるＩＣメモリカードとの関係を明確にしたもので、この訂正は、特許法１２０条の４第２項ただし書き第３号に規定する明瞭でない記載の釈明を目的とするものに該当する。
　上記訂正事項Ｂは、アタッチメント本体部の要件に限定を加えるもので、アタッチメント本体部が『上記ＩＣメモリカードを上記アタッチメントの上記交換型記憶装置への脱着方向に固定する構成とされた』ことは、特許明細書の段落【００１６】及び図３に記載されていたものであるから、この訂正は、特許法１２０条の４第２項ただし書き第１号に規定する特許請求の範囲の減縮を目的とするものに該当する。
　また、上記訂正事項Ａ、Ｂは、願書に添付した明細書又は図面に記載した事項の範囲内の訂正であり、実質上特許請求の範囲を拡張し、又は変更するものでもないので、上記訂正事項Ａ、Ｂの訂正は、特許法第１２０条の４第３項で準用する特許法第１２６条第２項及び第３項の規定に適合する。
　
「独立特許要件」　
　訂正明細書の請求項１に係る発明は、その特許請求の範囲の請求項１に記載された次の事項により特定されるとおりのものである。
『フレキシブルディスクカートリッジと、アタッチメントに装着されるＩＣメモリカードを差し替えて情報の記録再生ができる交換型記憶装置において、上記ＩＣメモリカードのアタッチメントは、ＩＣメモリカードの保持ガイド部と、その下部に一体的に設けられ、且つ上記フレキシブルディスクカートリッジと同一挿排出口より脱着され、上記ＩＣメモリカードを上記アタッチメントの上記交換型記憶装置への脱着方向に固定する構成とされたアタッチメント本体部とを備え、上記アタッチメントに対応して交換型記憶装置の前面に設けた挿排出口より脱着できるようにしたことを特徴とする交換型記憶装置。』　
　これに対し、当審が通知した取消理由において示した 先願（特願平３−１５９１４９号［特開平５−７４１０７号公報］）の明細書又は図面には、訂正明細書の請求項１に係る発明の、フレキシブルディスクカートリッジ（フロッピーディスク）と、アタッチメント（ＩＣメモリカード用アダプター１）に装着されるＩＣメモリカード（ＩＣメモリカード２０）を差し替えて情報の記録再生ができる交換型記憶装置（記憶媒体ドライブ装置３０）において、上記ＩＣメモリカードのアタッチメントは、ＩＣメモリカードの保持ガイド部（係合手段、凹部）と、その下部に一体的に設けられ、且つ上記フレキシブルディスクカートリッジと同一挿排出口より脱着され、上記ＩＣメモリカードを上記アタッチメントの上記交換型記憶装置への脱着方向に固定する構成とされたアタッチメント本体部とを備え、上記アタッチメントに対応して交換型記憶装置の前面に設けた挿排出口より脱着できるようにした換型記憶装置、に相当する要件は示されているものの、アタッチメント本体部に関して、脱方向と着方向に固定する構成とされた点、すなわち『ＩＣメモリカードを上記アタッチメントの上記交換型記憶装置への脱着方向に固定する構成とされたアタッチメント本体部』については開示されていないので、訂正明細書の請求項１に係る発明と上記先願の明細書又は図面に記載された発明とは同一とはいえない。よって、訂正明細書の請求項１に係る発明は、特許法第２９条の２第１項の規定に該当しない。
　したがって、訂正後の特許請求の範囲に記載されている事項により特定される発明が、特許出願の際独立して特許を受けることができるものであるので、上記訂正事項Ａ、Ｂの訂正は、特許法１２０条の４第３項で準用する特許法第１２６条第４項の規定に適合する。
　
３．特許異議の申立てについて
（１）訂正明細書の請求項１に係る発明は、その特許請求の範囲の請求項１に記載された事項により特定されるとおりのものである。
（２）特許異議の申立ての理由の概要
　　特許異議申立人 有限会社オフィスアテナは、請求項１に係る発明は、甲第１号証ないし甲第２号証に記載の発明に基づいて当業者が容易に発明をすることができたものであるから特許法第２９条第２項の規定により特許を受けることができないものであり、また、請求項１に係る発明は、甲第３号証又は甲第４号証の発明と同一であるから、特許第２９条の２の規定により特許を受けることができないものであり、請求項１に係る発明の特許は、特許第１１３条第１項第２号の規定に該当するので取り消されるべきものであると主張している。
（３）判断
特許法第２９条第２項違反に対して
　甲第１号証（特開平２−１２１１７４号公報）には、次の事項が記載されている。
　サイズが異なるデスクカートリッジでも、そのデスクカートリッジに記録されている情報の読み出し、あるいは情報の書き込みが可能なデスクカートリッジ駆動装置を提供することを目的とする（発明が解決しようとする課題の項）。
　例えば３．５インチのデスクカートリッジの如き小サイズのデスクカートリッジと、その小サイズのデスクカートリッジが所定の位置に収容されて、例えば５．２５インチの光デスクカートリッジの如き大サイズのデスクカートリッジと同じサイズで、かつ同一の外形を有するカートリッジアダプタと、前記小サイズのデスクカートリッジを収容したカートリッジアダプタが装着されて、その小サイズのデスクカートリッジに対して情報の書き込み、読み出しができるように構成した駆動装置本体とを備える。（課題を解決するための手段の項）
　アダプタ２は、上ケース８と、下ケース９と、上ケース８に接着固定されている蓋体１０と、下ケース９に接着固定されているローダレール１１と、シャッタ１７から主に構成されている。（第２頁右下欄１４〜１７行）
　駆動装置本体３の前面には、５．２５インチ光デスクカートリッジ、あるいはアダプタ２が挿入できる開口部１６が形成されている。（第３頁左上欄１２〜１４行）
　甲第２号証（特開平３−１４１９２号公報）には、次の事項が記載されている。
　メモリカードとＩＣカードの両方を使えるようにしながら、電子装置を小型にすることを可能にするＩＣカードアタッチメントを提供する（発明が解決しようとする課題の項）。
　小型電子装置側には、メモリカード用のコネクタを備えた挿入口だけを設けておき、ＩＣカードには、この挿入口に合わせるアタッチメントを用いる。（課題を解決するための手段の項）
　第４図は、本発明のＩＣカードアタッチメントの例であって、１４は本体、１５はＩＣカード用電気接触端子、１６は第２図の９に相当する電気接続部、１７と１８はそれぞれＩＣカードを固定するためのホルダ部である。第５図は、第４図のＩＣカードアタッチメントにＩＣカードを装着する図であって、１９はＩＣカード本体である。完全に装着すると、１４と１９とは密着される。 （第２頁左下欄１〜９行）
（対比）
　訂正明細書の請求項１に係る発明と、甲第１、２号証の発明とを対比すると、甲第１号証の発明は、サイズが異なるデスクカートリッジの場合のアダプタに関し、甲第２号証は、メモリカード（又はＩＣメモリカード）とＩＣカード、つまり２つのカードに関するアタッチメントについて記載されているが、訂正明細書の請求項１に係る発明の『フレキシブルディスクカートリッジ』と『ＩＣメモリカード』を装着するアタッチメントの場合については記載されておらず、甲第１、２号証の発明を合わせても、この要件を直ちに導きだすことはできない。また、甲第１、２号証の発明は、訂正明細書の請求項１に係る発明の『ＩＣメモリカードをアタッチメントの上記交換型記憶装置への脱着方向に固定する構成とされたアタッチメント本体部』に対応する要件については記載はなく、訂正明細書の請求項１に係る発明が、甲第１、２号証に記載された発明に基づいて当業者が容易に発明をすることができたものとはいえない。
特許法第２９条の２違反について
　甲第３号証（ 先願１；特願平２−３１５３６７号［特開平４−１８４６９５号公報］）には、課題を解決するための手段の項に、ＩＣカードの格納機能と、・・識別子を有するフレキシブルディスクサイズのＩＣカードカートリッジと、・・フレキシブルディスクドライバが記載され、実施例の項に、第１図は、本発明の一実施例の斜視図である。ＩＣカードカートリッジ１は、従来のフレキシブルディスク（以後、ＦＤと記す）と同じサイズであり、ＩＣカード２を格納可能な溝を有している。・・ＩＣカード処理機能付きＦＤドライバ４は、従来のＦＤドライバの機能に、ＩＣカードの処理機能を追加したものであることが記載されている。
　しかしながら、訂正明細書の請求項１に係る発明の『ＩＣメモリカードを上記アタッチメントの上記交換型記憶装置への脱着方向に固定する構成とされたアタッチメント本体部』に相当する要件については記載されていないので、上記先願１の明細書又は図面に記載された発明と訂正明細書の請求項１に係る発明が同一であるとすることはできない。
　甲第４号証（ 先願２；特願平３−１５９１４９号［特開平５−７４１０７号公報］）には、上記 ２．「独立特許要件」の項で示したように、『ＩＣメモリカードを上記アタッチメントの上記交換型記憶装置への脱着方向に固定する構成とされたアタッチメント本体部』に相当する要件については記載されていないので、先願２の明細書又は図面に記載された発明と訂正明細書の請求項１に係る発明とは同一とは認められない。
  よって、訂正明細書の請求項１に係る発明は、特許法第２９条の２第１項の規定に該当するとはいえない。
  したがって、特許異議申立の理由及び証拠によっては、請求項１に係る発明の特許を取り消すことはできない。
　よって、結論のとおり決定する。
【異議決定日】
平成１２年６月２７日（２０００．６．２７）
【訂正の要旨】
　訂正の要旨
１．明瞭でない記載の釈明を目的として、請求項１の
　「フレキシブルディスクカートリッジとアタッチメントに装着されるＩＣメモリカードを差し替えて情報の記録再生ができる交換型記憶装置」を「フレキシブルディスクカートリッジと、アタッチメントに装着されるＩＣメモリカードを差し替えて情報の記録再生ができる交換型記憶装置」に訂正。
２．特許請求の範囲の減縮を目的として、請求項１の
　「上記フレキシブルディスクカートリッジと同一挿排出口より脱着されるアタッチメント本体部」を「上記フレキシブルディスクカートリッジと同一挿排出口より脱着され、上記ＩＣメモリカードを上記アタッチメントの上記交換型記憶装置への脱着方向に固定する構成とされたアタッチメント本体部」に訂正。
（５４）【発明の名称】
交換型記憶装置
（５７）【特許請求の範囲】
　【請求項１】　フレキシブルディスクカートリッジ
と、
、上記ＩＣメモリカードを上記アタッチメントの上記交換型記憶装置への脱着方向に固定する構成とされた
　【請求項２】　ＩＣメモリカードの保持ガイド部の外側を保持する摺動ガイドを内側に備え、前面にバネにより付勢されたシャッタを設けたアタッチメントホルダを交換型記憶装置に装着したことを特徴とする請求項１記載の交換型記憶装置。
【発明の詳細な説明】
　【０００１】
　【産業上の利用分野】
　この発明はパーソナルコンピュータの外部記憶装置として使われるフレキシブル磁気デイスク装置とＩＣメモリカード装置の機能を一つにした記憶装置に関するものである。
　【０００２】
　【従来の技術】
　１９９０年６月に定められたＩＣメモリカード（ＰＣ９）ガイドラインＪＥＩＤＡ　ＶＥＲ，４（パソコン用ＩＣメモリカードの標準仕様）で決められたＩＣメモリカードは、記憶容量が最大６４メガバイトまで拡張可能で、データは８ビットと１６ビットのバス幅でアクセスできるものである。現在、ＭＡＳＫＲＯＭ．ＥＰＲＯＭ．ＥＥＰＲＯＭ．ＦＬＡＳＨ−ＥＰＲＯＭ．ＳＰＲＡＭ等の種々のメモリを収納できる。
　一方、パソコンの外部記憶装置としてフレキシブル磁気デイスク装置が使われており、現在は３．５吋のカートリッジ形態のものが主流となっているが、フレキシブル磁気デイスク装置はデイスク回転モータ、磁気ヘッドの移動機構等、機械系の要素を主体としているので、寿命、重さ、占有容積、消費電力の点でＩＣメモリカードに比べ不利な条件が揃っている。従って、最近のパソコンの小型化、軽量化、低消費電力化の動向に伴い、近い将来ＩＣメモリカードがフレキシブル磁気デイスクに取って代る時代が来るとの予測もある。しかし、現在までにフレキシブル磁気デイスク装置のフレキシブルデイスクカートリッジに蓄えられた膨大なソフトウエア遺産を考えた場合、ＩＣメモリカードの価格がフレキシブルデイスクカートリッジに比べまだ一桁以上高いため、一擧に置き代わることは無く、ここ当分は両者が共存するものと考えられる。この発明は以上の背景を考慮したもので、フレキシブル磁気デイスク装置とＩＣメモリカードの両者をアクセスできる装置を提案するものである。
　【０００３】
　図１１はＪＥＩＤＡ　ＶＥＲ，４で定められたＩＣメモリカードの外形寸法図である。図において、１はＩＣメモリカードであり、厚み寸法によりタイプＩとタイプＩＩの２種類がある。
　【０００４】
　図１２はＩＣメモリカードとＩＣメモリカード装置の構成図である。図において、２はＩＣメモリカードホルダ、３はＩＣメモリカードホルダ２に取り付けられるインタフェース用コネクタ、４は制御用コントローラ回路搭載ボードである。
　【０００５】
　図１３はＩＣメモリカードホルダとインタフェース用コネクタとＩＣメモリカドの排出機構と排出ボタンが一体となったイジェクト付ホルダ機構の外観図である。図において、５はＩＣメモリカード排出機構、５ａは排出ボタンで、装着されたＩＣメモリカードをインタフェース用コネクタ３の接続ピンから離脱させる場合に使用するものである。すなわち矢印Ａ方向に指で押せば、ＩＣメモリカードホルダ２の内部に組み込まれた薄い金属板からなるスライドテーブル５ｂが矢印Ｂの方向に動き、ＩＣメモリカード１をインタフェース用コネクタ３から離脱させることができる。
　【０００６】
　図１４はフレキシブル磁気デイスク装置の概略構成図である。図において、６は３．５吋フレキシブルデイスクカートリッジ、７はフレキシブル磁気デイスク装置である。８ａはフロントパネル、８ｂはフレキシブルデイスクカートリッジの挿排出口、９は２個のヘッドを搭載したキャリッジアセンブリ、１０はステッピングモータとリードスクリュからなるヘッド送り機構、１１は直流モータとフレキシブルデイスクカートリッジの装着用のチャッキング機構からなるデイスク回転機構、１２はフレキシブルデイスクカートリッジ６をデイスク回転機構１１に上下運動により運搬するローデイング機構、１３は装置全体の構成要素を支えるフレームである。
　【０００７】
　図１５はフレキシブルデイスクカートリッジの概略構成図である。詳細はＪＩＳ　Ｘ６２２１の『９０ｍｍフレキシブルデイスクカートリッジ』に記載されている。図において、１４は可撓形情報記録媒体でドウナツ状の薄いプラスチック円板の２面に磁気記録媒体を形成したものであり、１５は可撓形情報記録媒体１４の中心部に取付けられた鉄材からなるハブ、１６は保護用プラスチックケース、１７は保護用プラスチックケース１６に取付けられたシャッタであり、フレキシブル磁気デイスク装置にフレキシブルデイスクカートリッジ６が挿入される過程で矢印Ｃの方向に徐々に開き、完全に装着された状態で、保護用プラスチックケース１６とシャッタ１７の相互に予め用意されたヘッド挿入口１８から可撓形情報記録媒体１４の一部が覗き見られる状態となる。
　【０００８】
　フイレキシブル磁気デイスク装置の初期操作について概略説明する。フレキシブルデイスクカートリッジ６をフレキシブル磁気デイスク装置７のフレキシブルデイスクカートリッジの挿排出口８ｂに挿入した場合、まず最初にローディング機構１２によってフレキシブルデイスクカートリッジ６が下方に移動させられ、カートリッジデイスク回転機構１１に含まれるチャッキング機構とハブ１５が結合する。この時、上記のフレキシブルデイスクカートリッジのシャッタ１７の開口動作が連動して行われ、ヘッド挿入口１８にキャリッジアセンブリ９の２個のヘッドが可撓形情報記録媒体１４に降下し接触する。次にデイスク回転機構１１の直流モータと同期し、可撓形情報記録媒体１４が回転し、一連の記録再生動作が可能となる。又、ヘッド送り機構１０はステッピングモータを駆動源とし、リードスクリューを介してキャリッジアセンブリ９を移動させ、可撓形情報媒体１４の任意のトラック上にヘッドを運搬する。
　以上が初期操作の概略であるが、フレキシブルデイスクカートリッジ６を取り出す終了時の操作は排出ボタン８ｃを押すことにより、初期操作の逆動作が自動的に行われ、挿排出口８ｂからフレキシブルデイスクカートリッジ６が排出される。
　【０００９】
　図１６は、米国特許第４８９１７２７号記載のフレキシブル磁気デイスク装置の一実施例図である。この発明では、フレキシブルデイスクカートリッジ及びフレキシブルデイスクカートリッジと同じサイズに収納されるＩＣメモリで構成される半導体カートリッジの２種類のカートリッジをアクセスするものである。図において、１９はフレキシブル磁気デイスク装置、２０は図示されないフレキシブルデイスクカートリッジ６と半導体カートリッジ２１のいずれをも固定可能なチャッキングハブ、２２はフレキシブルデイスク６に使用する磁気ヘッド、２３はフレキシブルデイスクカートリッジ６と半導体カートリッジ２１のいずれかを挿排出可能な記憶媒体挿入口、２４は半導体カートリッジ２１と電気接続を行うコネクタ、２６は半導体カートリッジ２１に設けられた判別ホール２５を検出するホール検出スイッチである。
　【００１０】
　【発明が解決しようとする課題】
　上記の発明では、フレキシブルデイスクカートリッジと半導体カートリッジのサイズは同一であることを前提としたものであり、フレキシブルデイスクカートリッジと同様な挿排出操作ができたが、本発明で用いるＪＥＩＤＡ　ＶＥＲ，４で定められたＩＣメモリカードはフレキシブルデイスクカートリッジよりも横幅が狭く、又、専用のコネクタを持っているため、従来のフレキシブルデイスクカートリッジの挿排出口から直接アクセスできないという難点があった。
　【００１１】
　この発明は、上記の問題点に鑑みなされたもので、ＪＩＳ　Ｘ６２２１の９０ｍｍフレキシブルデイスクカートリッジとＩＣメモリカードガイドラインＪＥＩＤＡ　ＶＥＲ，４で定められたＩＣメモリカードがアクセスできる交換型記憶装置を得ることを目的とする。
　【００１２】
　【課題を解決するための手段】
　この発明に係る交換型記憶装置は、上記目的を達成するため従来の３．５吋フレキシブル磁気デイスク装置のフロントパネル、ローデイング機構および電気回路基板を変更し、新たに、アタッチメント、アタッチメントホルダ等を設け、ＩＣメモリカードのアタッチメントは、ＩＣメモリカードの保持ガイド部と、その下部に一体的に設けられ、且つ上記フレキシブルデイスクカートリッジと同一挿排出口より脱着されるアタッチメント本体部とを備え、上記アタッチメントに対応して交換型記憶装置の前面に設けた挿排出口より脱着できるようにし、更に上記ＩＣメモリカードの保持ガイド部の外側を保持する摺動ガイドを内側に備え、前面にバネにより付勢されたシャッタを設けたアタッチメントホルダを交換型記憶装置に装着した構成にしてある。
　【００１３】
　【作用】
　この発明における交換型記憶装置は、パソコンの外部記憶装置として用いられる３．５吋フレキシブル磁気デイスク装置と、ＪＥＩＤＡ　ＶＥＲ，４で決められたＩＣメモリカードを一体化するものであり、ＩＣメモリカードをアタッチメントの保持ガイド部に沿って挿着し、その下部に一体的に設けられたアタッチメント本体部と共に交換型記憶装置の対応する挿排出口より挿入し、上記保持ガイド部の外側を、交換型記憶装置に装着されたアタッチメントホルダの摺動ガイドにより保持する。
　【００１４】
　【実施例】
　以下、この発明の一実施例を図について説明する。図１は３．５吋フレキシブルデイスクカートリッジとＪＥＩＤＡ　ＶＥＲ，４のＩＣメモリカードのいずれかをアクセスできる交換型記憶装置の概念図である。図において、２７は交換型記憶装置の本体、２８はＩＣメモリカード１を取付けるアタッチメントであり、フレキシブルデイスクカートリッジ６と縦幅寸法を同一にしている。２９ｇはフロントパネル、２９ｈはＩＣメモリカード１とフレキシブルデイスクカートリッジ６の挿排出口で、シャッタ部分は省略して図示してある。２９ｉはフレキシブルデイスクカートリッジ６の排出用の押ボタンである。ＩＣメモリカード１はフレキシブルデイスクカートリッジ６に比べ横幅が狭いために、この発明で示すアタッチメント２８が必要となる。
　【００１５】
　図２は図１のアタッチメント構造の詳細図である。図において、２８ａはアタッチメント本体部、２８ｂはＩＣメモリカードの固定レバーで、ネジ２８ｃにより１８０度回動自在に取付けられてある。
　【００１６】
　図３はアタッチメントの使用手順に関する説明図である。図３の１はＩＣメモリカード１を装着前の状況を示したもので、固定レバー２８ｂは外に向って開いている。図３のＩＩはアタッチメント本体部２８ａのスロットにＩＣメモリカード１を挿入する途中経過を示したもので、保持ガイド部２８ｄに沿って挿入し、予めＩＣメモリカード１の誤挿入防止用凹凸に対応して設けられたストッパ２８ｅで止まる。図３のＩＩＩはＩＣメモリカード１を所定の位置まで挿入した段階で固定レバー２８ｂを１８０度回動させ、アタッチメント本体部のレバーストッパ用の溝２８ｆに介入させて固定する。２８ｇは後述するアタッチメントホルダに挿入するための摺動ガイドとしてのスリットである。
　【００１７】
　図４はアタッチメントホルダの概略構成図である。図において、２９はアタッチメントホルダ、２９ａはアタッチメントホルダ本体部、２９ｂはアタッチメントホルダのシャッタ、２９ｃはＩＣメモリカード用の受け側のコネクタピンである。アタッチメントホルダ本体部２９ａには摺動ガイドとしてのフランジ２９ｊが両内側に設けられ、図３で示した保持ガイド部２８ｄ外側のスリット２８ｇを嵌合させ、スライドさせることによりアタッチメント２８を正確に挿入できる。
　【００１８】
　図５はアタッチメントホルダのシャッタバネ構造の一実施例図である。アタッチメント本体部２９ａとシャッタ２９ｂをバネ性の金属棒を折曲したシャッタバネ２９ｄを使用し、このバネによりＩＣメモリカード１を挿入しない状態では常に遮蔽状態となり、塵埃等の異物の侵入を防ぐ。図５のＩＩはシャッタ２９ｂをアタッチメントホルダ本体部に取付ける前の状態を示しており、取り付ける場合には、シャッタバネ２９ｄを矢印Ｄの方向に拡げて取付け穴２９ｅ、２９ｆに組み込む。
　【００１９】
　図６は本発明の記憶装置の部品構成図である。この装置は従来のフレキシブル磁気デイスク装置をペースにしたものであり、大幅な変更を施さずにＩＣメモリカード対応に一部の設計変更のみで対処できる。図中の３０ａ、３０ｂ、３０ｃ、３０ｄ、３０ｅはフレキシブルデイスクカートリッジ挿排出時に動作させる機構部品であり、図１４で示したローデイング機構１２の構成部品に相当する。３１は記憶装置駆動に必要な周辺回路が実装されている電気回路基板、３２は電気回路基板３１の電気的シールドを主的とするシールドカバー、２９ｇはフロントパネルである。図において、電気回路基板３１に破線で示した部分に図４のアタッチメントホルダ本体部２９ａが接着され、コネクタピン２９ｃは電気回路基板３１のスルーホール穴に挿入され、半田付けされる。
　【００２０】
　図７は記憶装置の本体とアタッチメントホルダの位置関係を示す図である。図では装置の電気回路基板３１とシールドカバー３２を説明上省略している。まず図示されないフレキシブルデイスクカートリッジ６が挿入された場合のカートリッジホルダ３０ｅの動作について概略説明する。フレキシブルデイスクカートリッジ６の縁がレバー３０ｃに接触した段階からフレキシブルデイスクカートリッジ６のシャッタ１７が開き、装置に十分に挿入された段階でカートリッジホルダ３０ｅはフレキシブルデイスクカートリッジ６と共に装置下面にあるスピンドルモータ側に降下し、フレキシブルカートリッジ６のハブ１５とディスク回転機構１１に含まれるマグネットチャッキングとが接合する。同時にキャリッジアセンブリ９の一対の磁気ヘッドが可撓形情報記録媒体１４と接触する。従って、フレキシブルデイスク装置の機能をはたらかすためには、カートリッジホルダ３０ｅの上下動作が必要となる。一方ＩＣメモリカードは、デイスク回転機構、デイスクカートリッジのシャッタの開閉が不要である。アタッチメントホルダ本体部２９ａは電気回路基板３１に接着され固定されているので、本発明の実施例ではカートリッジホルダ３０ｅを凹形状にし、アタッチメントホルダ本体部２９ａとカード接栓３６ｄが接触しないように切欠きを設けたものである。
　【００２１】
　以上は本発明で用いるフレキシブルデイスクカートリッジ、ＩＣメモリカードのいずれかをアクセスできる装置の実施例である。図８は両者を同時にアクセスできる装置の全体構成図である。この装置では、交換形記憶装置の本体３３に取付けられたフロントパネル３４には、フレキシブルデイスクカートリッジとＩＣメモリカードにそれぞれ対応するシャッタ付挿排出口３４ａ、３４ｂ及び排出押ボタン３５ａ、３５ｂがあり、それぞれ個別に扱うことができるようにしたものである。
　【００２２】
　図９は図８のＩＣメモリカードを直接アクセスできる記憶装置内蔵のＩＣメモリカードホルダケースの概略図である。図において、３６はＩＣメモリカードホルダケースの全体、３６ａは４個所のネジ取付部を有するアルミ合金性Ｕ型ホルダ、３６ｂはプラスチック材料でできたＩＣメモリカード１のガイドである。また挿排出口のシャッタ３６ｃ及びカード接栓３６ｄは図４で示した２９ｂ、２９ｃと同様のものを使用している。ＩＣメモリカードホルダケース３６は電気回路基板に直接ネジ止めして使用する。またフレキシブルデイスクカートリッジ用のカートリッジホルダ３０ｅとの物理的位置関係は図７で示したものと同様であり、両者が接触させない構造が必要となる。
　【００２３】
　図１０は本発明の記憶装置に用いる電気回路基板の構成図である。図１０のＩは１枚の電気回路基板３１に対して１つのインタフェースコネクタＣ１で接続する構成を示したもので、フレキシブル磁気デイスク装置駆動用の周辺回路とＩＣメモリカード駆動用の周辺回路を分離せずに１枚（実装上、複数の電気回路基板に分割配置し、相互にケーブル等で接続する場合を含む）の電気回路基板上に搭載し、ホスト計算機とは１つのインタフェースコネクタで接続する場合を示したものである。図１０のＩＩは２つの機能を分離し、それぞれに対応して専用のインタフェースコネクタＣ２、Ｃ３を持たせホスト計算機と接続する場合を示しているが、電気回路基板は必ずしも２つに分離することはなく、実装上、電気回路基板上を１つにしてインタフェースコネクタを２つにする方法も可能である。
　【００２４】
　なお図示されていないが、この発明の変形実施例として、アタッチメントホルダ２９の両内側に形成する摺動ガイドは、フランジ２９ｊの代りにスロットを設け、これに対応する摺動板をアタッチメント２８の保持ガイド部２８ｄの両側に設けてもよい。
　【００２５】
　【発明の効果】
　以上のように、この発明の電気交換型記憶装置によれば、従来の３．５吋フレキシブル磁気デイスク装置のフロントパネル、ローデイング機構および電気回路基板を変更し、新たに、アタッチメント、アタッチメントホルダ等を設け、ＩＣメモリカードのアタッチメントは、ＩＣメモリカードの保持ガイド部と、その下部に一体的に設けられ、且つこのフレキシブルデイスクカートリッジと同一挿排出口より脱着されるアタッチメント本体部とを備え、上記アタッチメントに対応して交換型記憶装置の前面に設けた挿排出口より脱着できるようにしたことにより、共通の薄型挿排出口よりＩＣメモリカードを付けたアタッチメントと、フレキシブルデイスクカートリッジとを選択的に脱着することができ、さらにアタッチメントホルダは、上記ＩＣメモリカードの保持ガイド部の外側を保持する摺動ガイドを内側に備え、前面にシャッタを設けた構成にしてあるから、アタッチメントはスムースにアタッチメントホルダに装着でき、不使用時には塵埃の侵入から保護することができ、上記構成によって、ＪＩＳ　Ｘ　６２２１で規定された９０ｍｍフレキシブルデイスクカートリッジと標準ガイドラインＪＥＩＤＡ　ＶＥＲ，４で定められたＩＣメモリカードに対して共通的に正確迅速に対応できるので、省スペース化が進むノートブック型パソコン用として最適の記憶装置が提供できる。
【図面の簡単な説明】
　【図１】
　３．５吋フレキシブルカートリッジとＪＥＩＤＡ　ＶＥＲ，４のＩＣメモリカードのいずれかをアクセスできる交換型記憶装置の概念図。
　【図２】
　アタッチメントの平面図と正面図。
　【図３】
　アタッチメントの使用手順に関する斜視図。
　【図４】
　アタッチメントホルダの概略構成を示す斜視図。
　【図５】
　アタッチメントホルダのシャッタバネ構造の斜視図。
　【図６】
　記憶装置の部品構成図。
　【図７】
　記憶装置の本体とアタッチメントホルダの位置関係を示す平面図。
　【図８】
　フレキシブルデイスクカートリッジとＩＣメモリカードを同時にアクセスできる装置の全体構成図。
　【図９】
　ＩＣメモリカードホルダケースの概念図。
　【図１０】
　記憶装置に用いる電気回路基板の構成図。
　【図１１】
　ＩＣメモリカードの外形寸法図。
　【図１２】
　ＩＣメモリカードとＩＣメモリカード装置の構成図。
　【図１３】
　イジェクト付ホルダ機構の外観図。
　【図１４】
　フレキシブル磁気デイスク装置の概略構成図。
　【図１５】
　フレキシブルデイスクカートリッジの概略構成図。
　【図１６】
　米国特許第４８９１７２７号記載のフレキシブル磁気デイスク装置の一実施例図。
　【符号の説明】
１　　　ＩＣメモリカード
２　　　ＩＣメモリカードホルダ
３　　　インタフェース用コネクタ
４　　　制御用コントローラ回路搭載ボード
５　　　ＩＣメモリカード排出機構
５ａ　　排出ボタン
５ｂ　　スライドテーブル
６　　　３．５吋フレキシブルデイスクカートリッジ
７　　　フレキシブル磁気デイスク装置
８ａ　　フロントパネル
８ｂ　　フレキシブルデイスクカートリッジの挿排出口
９　　　キャリッジアセンブリ
１０　　ヘッド送り機構
１１　　デイスク回転機構
１２　　ローデイング機構
１３　　フレーム
１４　　可撓形情報記録媒体
１５　　ハブ
１６　　保護用プラスチックケース
１７　　シャッタ
１８　　ヘッド挿入口
１９　　フレキシブル磁気デイスク装置
２０　　チャッキングハブ
２１　　半導体カートリッジ
２２　　磁気ヘッド
２３　　記憶媒体挿入口
２４　　コネクタ
２５　　判別ホール
２６　　ホール検出スイッチ
２７　　交換型記憶装置の本体
２８　　アタッチメント
２８ａ　アタッチメント本体部
２８ｂ　ＩＣメモリカードの固定レバー
２８ｃ　ネジ
２８ｄ　保持ガイド部
２８ｅ　ストッパ
２８ｆ　レバーストッパの溝
２８ｇ　スリット
２９　　アタッチメントホルダ
２９ａ　アタッチメントホルダ本体部
２９ｂ　アタッチメントホルダのシャッタ
２９ｃ　コネクタピン
２９ｄ　シャッタバネ
２９ｅ　取付け穴
２９ｆ　取付け穴
２９ｇ　フロントパネル
２９ｈ　挿排出口
２９ｉ　押しボタン
２９ｊ　摺動ガイド
３０ａ　機構部品
３０ｂ　機構部品
３０ｃ　機構部品
３０ｄ　機構部品
３１　　電気回路基板
３２　　シールドカバー
３３　　交換型記憶装置の本体
３４　　フロントパネル
３４ａ　シャッタ付挿排出口
３４ｂ　シャッタ付挿排出口
３５ａ　排出押ボタン
３５ｂ　排出押ボタン
３６　　ＩＣメモリホルダケース
３６ａ　アルミ合金性Ｕ型ホルダ
３６ｂ　ガイド
３６ｃ　シャッタ
３６ｄ　カード接栓
Ｃ１　　インタフェースコネクタ
Ｃ２　　インタフェースコネクタ
Ｃ３　　インタフェースコネクタ